(57)【要約】【課題】画像の管理が簡単な撮像装置を提供する。【解決手段】電源がＯＮされてからＯＦＦされるまでの間に撮影された画像を１グループとして同じフォルダに格納する。電源がＯＮされてからＯＦＦされるまでに撮影された画像がひとまとまりとなり、撮影後の閲覧、管理が容易になる。【選択図】      図４
2007019620.tif 000002
【特許請求の範囲】
【請求項１】
撮影指示に応じて撮像素子から得られた画像信号を処理して、所定の画像ファイルとして記憶メディアに記録する撮像装置において、
メイングループの切り換えを指示するメイングループ切換指示手段と、
前記メイングループ切換指示手段によるメイングループの切り換え指示までに得られた画像ファイルを同じメイングループの画像ファイルとして識別可能に前記記憶メディアに記録する記録制御手段と、
を備えたことを特徴とする撮像装置。
【請求項２】
前記記録制御手段は、同じメイングループの画像ファイルに対して同じ識別情報を付加して記録することにより、同じメイングループの画像ファイルを識別可能に前記記憶メディアに記録することを特徴とする請求項１に記載の撮像装置。
【請求項３】
前記記録制御手段は、同じメイングループの画像ファイルを同じフォルダに格納して記録することにより、同じメイングループの画像ファイルを識別可能に前記記憶メディアに記録することを特徴とする請求項１に記載の撮像装置。
【請求項４】
前記記録制御手段は、各画像ファイルが属するメイングループの情報が記録された管理ファイルを別途生成することにより、同じメイングループの画像ファイルを識別可能に前記記憶メディアに記録することを特徴とする請求項１に記載の撮像装置。
【請求項５】
前記撮像装置の電源をＯＮ／ＯＦＦする電源スイッチを備え、
前記メイングループ切換指示手段は、前記電源スイッチがＯＮされると、メイングループの切り換えを指示することを特徴とする請求項１、２、３又は４に記載の撮像装置。
【請求項６】
画像を撮影する撮影モードに切り換えるモード切換手段を備え、
前記メイングループ切換指示手段は、前記モード切換手段で前記撮影モードに設定されると、メイングループの切り換えを指示することを特徴とする請求項１、２、３又は４に記載の撮像装置。
【請求項７】
サブグループの切り換えを指示するサブグループ切換指示手段を備え、
前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１、２、３、４、５又は６に記載の撮像装置。
【請求項８】
撮像装置の動きを検出する動き検出手段を備え、
前記メイングループ切換指示手段は、前記動き検出手段で一定以上の動きを検出すると、メイングループの切り換えを指示することを特徴とする請求項１、２、３又は４に記載の撮像装置。
【請求項９】
サブグループの切り換えを指示するサブグループ切換指示手段を備え、
前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項８に記載の撮像装置。
【請求項１０】
撮像装置に備えられたグリップ部へのグリップを検出するグリップ検出手段を備え、
前記メイングループ切換指示手段は、前記グリップ検出手段で新たなグリップを検出すると、メイングループの切り換えを指示することを特徴とする請求項１、２、３又は４に記載の撮像装置。
【請求項１１】
サブグループの切り換えを指示するサブグループ切換指示手段を備え、
前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１０に記載の撮像装置。
【請求項１２】
撮像装置に備えられたレリーズボタンへの接触を検出する接触検出手段を備え、
前記メイングループ切換指示手段は、前記接触検出手段で新たな接触を検出すると、メイングループの切り換えを指示することを特徴とする請求項１、２、３又は４に記載の撮像装置。
【請求項１３】
サブグループの切り換えを指示するサブグループ切換指示手段を備え、
前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１２に記載の撮像装置。
【請求項１４】
撮像装置の動きを検出する動き検出手段を備え、
前記サブグループ切換指示手段は、前記動き検出手段で一定以上の動きを検出すると、サブグループの切り換えを指示することを特徴とする請求項７、１１又は１３に記載の撮像装置。
【請求項１５】
撮像装置に備えられたグリップ部へのグリップを検出するグリップ検出手段を備え、
前記サブグループ切換指示手段は、前記グリップ検出手段で新たなグリップを検出すると、サブグループの切り換えを指示することを特徴とする請求項７、９又は１３に記載の撮像装置。
【請求項１６】
撮像装置に備えられたレリーズボタンへの接触を検出する接触検出手段を備え、
前記サブグループ切換指示手段は、前記接触検出手段で新たな接触を検出すると、サブグループの切り換えを指示することを特徴とする請求項７、９又は１１に記載の撮像装置。
【請求項１７】
前記記録制御手段は、同じサブグループの画像ファイルに対して同じ識別情報を付加して記録することにより、同じサブグループの画像ファイルを識別可能に前記記憶メディアに記録することを特徴とする請求項７、９、１１、１３、１４、１５又は１６に記載の撮像装置。
【請求項１８】
前記記録制御手段は、同じサブグループの画像ファイルを同じフォルダに格納して記録することにより、同じサブグループの画像ファイルを識別可能に前記記憶メディアに記録することを特徴とする請求項７、９、１１、１３、１４、１５又は１６に記載の撮像装置。
【請求項１９】
前記記録制御手段は、各画像ファイルが属するサブグループの情報が記録された管理ファイルを別途生成することにより、同じサブグループの画像ファイルを識別可能に前記記憶メディアに記録することを特徴とする請求項７、９、１１、１３、１４、１５又は１６に記載の撮像装置。
【請求項２０】
前記動き検出手段の検出結果に基づいて撮影光学系の一部又は前記撮像素子を移動させて手ブレを補正する手ブレ補正手段を備えたことを特徴とする請求項８又は１４に記載の撮像装置。
【請求項２１】
撮影された画像の成功／失敗を判定する判定手段を備え、
前記記録制御手段は、前記判定手段で失敗判定された画像の画像ファイルを識別可能に前記記憶メディアに記録することを特徴とする請求項１〜２０のいずれか一に記載の撮像装置。
【発明の詳細な説明】
【技術分野】
【０００１】
本発明は撮像装置に係り、特に撮影した画像をグループ分けして記憶メディアに記録する撮像装置に関する。
【背景技術】
【０００２】
一般にデジタルカメラで撮影された画像は、所定フォーマットの画像ファイルとしてメモリカード等の交換可能な記憶メディアに記録される。この際、従来のデジタルカメラは、撮影順に所定のファイル名を付け、単一のフォルダに画像ファイルを格納して記録していた。
【０００３】
しかし、記憶メディアの記憶容量が増えると、記録可能な画像ファイルの数が増え、撮影後の管理が面倒になるという問題があった。
【０００４】
そこで、特許文献１、２では、連写のたびにフォルダを作成し、そのフォルダに一回の連写で得られた一連の画像ファイルを格納することにより、撮影後の画像ファイルの取り扱いを容易にしている。
【０００５】
また、特許文献３では、連写により得られた個々の画像ファイルのヘッダ部分に連写の分類情報を記録することにより、撮影後の画像ファイルの分類を容易にしている。
【０００６】
また、特許文献４では、ブラケッティング撮影により得られた個々の画像ファイルにブラケッティング撮影により得られた一連の画像ファイルであることを示す情報を付加して記録することにより、撮影後の画像ファイルの識別を容易にしている。
【特許文献１】特開２００１−９４９２７号公報
【特許文献２】特開平１１−３１２２３７号公報
【特許文献３】特開２００１−２５７９２６号公報
【特許文献４】特開２００４−２４７８０７号公報
【発明の開示】
【発明が解決しようとする課題】
【０００７】
ところで、デジタルカメラの場合、フィルムカメラのように消耗品が発生することがないため、枚数を気にしながら撮影するということが少ない。このため、連写やブラケッティング撮影とは別に同じ被写体を念押しの意味で複数回撮影することがよく行われる。
【０００８】
しかし、従来のデジタルカメラでは、連写やブラケッティング撮影でなければ、同種の画像のグループ分けができず、撮影後の閲覧、整理に手間がかかるという欠点があった。
【０００９】
本発明は、このような事情に鑑みてなされたもので、画像の管理が簡単な撮像装置を提供することを目的とする。
【課題を解決するための手段】
【００１０】
請求項１に係る発明は、前記目的を達成するために、撮影指示に応じて撮像素子から得られた画像信号を処理して、所定の画像ファイルとして記憶メディアに記録する撮像装置において、メイングループの切り換えを指示するメイングループ切換指示手段と、前記メイングループ切換指示手段によるメイングループの切り換え指示までに得られた画像ファイルを同じメイングループの画像ファイルとして識別可能に前記記憶メディアに記録する記録制御手段と、を備えたことを特徴とする撮像装置を提供する。
【００１１】
請求項１に係る発明によれば、メイングループの切り換え指示が与えられるまでに得られた画像ファイルを一つのグループとして記憶メディアに記録する。すなわち、メイングループの切り換えが指示されると、それ以後に撮影された画像は新たなメイングループとしてグループ分けされて記録される。これにより、撮影後の管理が容易になる。
【００１２】
請求項２に係る発明は、前記目的を達成するために、前記記録制御手段は、同じメイングループの画像ファイルに対して同じ識別情報を付加して記録することにより、同じメイングループの画像ファイルを識別可能に前記記憶メディアに記録することを特徴とする請求項１に記載の撮像装置を提供する。
【００１３】
請求項２に係る発明によれば、同じメイングループの画像ファイルに対して同じ識別情報を付加することにより、同じメイングループの画像ファイルを識別可能に記録する。
【００１４】
請求項３に係る発明は、前記目的を達成するために、前記記録制御手段は、同じメイングループの画像ファイルを同じフォルダに格納して記録することにより、同じメイングループの画像ファイルを識別可能に前記記憶メディアに記録することを特徴とする請求項１に記載の撮像装置を提供する。
【００１５】
請求項３に係る発明によれば、同じメイングループの画像ファイルを同じフォルダに格納することにより、同じメイングループの画像ファイルを識別可能に記録する。
【００１６】
請求項４に係る発明は、前記目的を達成するために、前記記録制御手段は、各画像ファイルが属するメイングループの情報が記録された管理ファイルを別途生成することにより、同じメイングループの画像ファイルを識別可能に前記記憶メディアに記録することを特徴とする請求項１に記載の撮像装置を提供する。
【００１７】
請求項４に係る発明によれば、各画像ファイルが属するメイングループの情報が記録された管理ファイルを別途生成することにより、同じメイングループの画像ファイルを識別可能に記録する。
【００１８】
請求項５に係る発明は、前記目的を達成するために、前記撮像装置の電源をＯＮ／ＯＦＦする電源スイッチを備え、前記メイングループ切換指示手段は、前記電源スイッチがＯＮされると、メイングループの切り換えを指示することを特徴とする請求項１、２、３又は４に記載の撮像装置を提供する。
【００１９】
請求項５に係る発明によれば、電源スイッチがＯＮされると、メイングループの切り換えが指示され、それ以後に撮影された画像が新たなメイングループとしてグループ分けされて記録される。
【００２０】
請求項６に係る発明は、前記目的を達成するために、画像を撮影する撮影モードに切り換えるモード切換手段を備え、前記メイングループ切換指示手段は、前記モード切換手段で前記撮影モードに設定されると、メイングループの切り換えを指示することを特徴とする請求項１、２、３又は４に記載の撮像装置を提供する。
【００２１】
請求項６に係る発明によれば、撮影モードに設定されると、メイングループの切り換えが指示され、それ以後に撮影された画像が新たなメイングループとしてグループ分けされて記録される。
【００２２】
請求項７に係る発明は、前記目的を達成するために、サブグループの切り換えを指示するサブグループ切換指示手段を備え、前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１、２、３、４、５又は６に記載の撮像装置を提供する。
【００２３】
請求項７に係る発明によれば、メイングループ内で更に画像ファイルがサブグループにグループ分けされて記録される。この際、サブグループのグループ分けは、サブグループの切り換えが指示されるまでを一つのグループとして記録する。すなわち、サブグループの切り換えが指示されると、それ以後に撮影された画像を新たなサブグループとしてグループ分けして記録する。これにより更に詳細に画像ファイルをグループ分けでき、撮影後の画像管理が更に容易になる。
【００２４】
請求項８に係る発明は、前記目的を達成するために、撮像装置の動きを検出する動き検出手段を備え、前記メイングループ切換指示手段は、前記動き検出手段で一定以上の動きを検出すると、メイングループの切り換えを指示することを特徴とする請求項１、２、３又は４に記載の撮像装置を提供する。
【００２５】
請求項８に係る発明によれば、撮像装置本体に一定以上の動きが検出されると、メイングループの切り換えが指示される。すなわち、撮像装置本体を一定以上動かした場合は、撮影対象が変更されたもと判断して、以後撮影された画像を新たなメイングループにグループ分けして記録する。
【００２６】
請求項９に係る発明は、前記目的を達成するために、サブグループの切り換えを指示するサブグループ切換指示手段を備え、前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項８に記載の撮像装置を提供する。
【００２７】
請求項９に係る発明によれば、メイングループ内で更に画像ファイルがサブグループにグループ分けされて記録される。これにより更に詳細に画像ファイルをグループ分けでき、撮影後の画像管理が更に容易になる。
【００２８】
請求項１０に係る発明は、前記目的を達成するために、撮像装置に備えられたグリップ部へのグリップを検出するグリップ検出手段を備え、前記メイングループ切換指示手段は、前記グリップ検出手段で新たなグリップを検出すると、メイングループの切り換えを指示することを特徴とする請求項１、２、３又は４に記載の撮像装置を提供する。
【００２９】
請求項１０に係る発明によれば、撮像装置に備えられたグリップ部が、新たにグリップされると、メイングループの切り換えが指示される。すなわち、グリップ部が離されると、そこで一旦撮影が終了し、撮影対象が変更されたものと判断し、以後撮影された画像を新たなメイングループにグループ分けして記録する。
【００３０】
請求項１１に係る発明は、前記目的を達成するために、サブグループの切り換えを指示するサブグループ切換指示手段を備え、前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１０に記載の撮像装置を提供する。
【００３１】
請求項１１に係る発明によれば、メイングループ内で更に画像ファイルがサブグループにグループ分けされて記録される。これにより更に詳細に画像ファイルをグループ分けでき、撮影後の画像管理が更に容易になる。
【００３２】
請求項１２に係る発明は、前記目的を達成するために、撮像装置に備えられたレリーズボタンへの接触を検出する接触検出手段を備え、前記メイングループ切換指示手段は、前記接触検出手段で新たな接触を検出すると、メイングループの切り換えを指示することを特徴とする請求項１、２、３又は４に記載の撮像装置を提供する。
【００３３】
請求項１２に係る発明によれば、撮像装置に備えられたレリーズボタンが新たに接触されると、メイングループの切り換えが指示される。すなわち、レリーズボタンに指が置かれている間は同じ被写体を撮影しているものと判断し、離されたら被写体が変更されたものと判断して、以後撮影された画像を新たなメイングループにグループ分けして記録する。
【００３４】
請求項１３に係る発明は、前記目的を達成するために、サブグループの切り換えを指示するサブグループ切換指示手段を備え、前記記録制御手段は、前記サブグループ切換指示手段によるサブグループの切り換え指示までに得られた画像ファイルを同じサブグループの画像ファイルとして前記メイングループ内で識別可能に前記記憶メディアに記録することを特徴とする請求項１２に記載の撮像装置を提供する。
【００３５】
請求項１３に係る発明によれば、メイングループ内で更に画像ファイルがサブグループにグループ分けされて記録される。これにより更に詳細に画像ファイルをグループ分けでき、撮影後の画像管理が更に容易になる。
【００３６】
請求項１４に係る発明は、前記目的を達成するために、撮像装置の動きを検出する動き検出手段を備え、前記サブグループ切換指示手段は、前記動き検出手段で一定以上の動きを検出すると、サブグループの切り換えを指示することを特徴とする請求項７、１１又は１３に記載の撮像装置を提供する。
【００３７】
請求項１４に係る発明によれば、撮像装置本体に一定以上の動きが検出されると、サブグループの切り換えが指示される。すなわち、撮像装置本体を一定以上動かした場合は、撮影対象が変更されたもと判断して、以後撮影された画像をメイングループ内で新たなサブグループにグループ分けして記録する。
【００３８】
請求項１５に係る発明は、前記目的を達成するために、撮像装置に備えられたグリップ部へのグリップを検出するグリップ検出手段を備え、前記サブグループ切換指示手段は、前記グリップ検出手段で新たなグリップを検出すると、サブグループの切り換えを指示することを特徴とする請求項７、９又は１３に記載の撮像装置を提供する。
【００３９】
請求項１５に係る発明によれば、撮像装置に備えられたグリップ部が、新たにグリップされると、サブグループの切り換えが指示される。すなわち、グリップ部が離されると、そこで一旦撮影が終了し、撮影対象が変更されたものと判断し、以後撮影された画像をメイングループ内で新たなサブグループにグループ分けして記録する。
【００４０】
請求項１６に係る発明は、前記目的を達成するために、撮像装置に備えられたレリーズボタンへの接触を検出する接触検出手段を備え、前記サブグループ切換指示手段は、前記接触検出手段で新たな接触を検出すると、サブグループの切り換えを指示することを特徴とする請求項７、９又は１１に記載の撮像装置を提供する。
【００４１】
請求項１６に係る発明によれば、撮像装置に備えられたレリーズボタンが新たに接触されると、サブグループの切り換えが指示される。すなわち、レリーズボタンに指が置かれている間は同じ被写体を撮影しているものと判断し、離されたら被写体が変更されたものと判断して、以後撮影された画像をメイングループ内で新たなサブグループにグループ分けして記録する。
【００４２】
請求項１７に係る発明は、前記目的を達成するために、前記記録制御手段は、同じサブグループの画像ファイルに対して同じ識別情報を付加して記録することにより、同じサブグループの画像ファイルを識別可能に前記記憶メディアに記録することを特徴とする請求項７、９、１１、１３、１４、１５又は１６に記載の撮像装置を提供する。
【００４３】
請求項１７に係る発明によれば、同じサブグループの画像ファイルに対して同じ識別情報を付加することにより、同じサブグループの画像ファイルを識別可能に記録する。
【００４４】
請求項１８に係る発明は、前記目的を達成するために、前記記録制御手段は、同じサブグループの画像ファイルを同じフォルダに格納して記録することにより、同じサブグループの画像ファイルを識別可能に前記記憶メディアに記録することを特徴とする請求項７、９、１１、１３、１４、１５又は１６に記載の撮像装置を提供する。
【００４５】
請求項１８に係る発明によれば、同じサブグループの画像ファイルを同じフォルダに格納することにより、同じサブグループの画像ファイルを識別可能に記録する。
【００４６】
請求項１９に係る発明は、前記目的を達成するために、前記記録制御手段は、各画像ファイルが属するサブグループの情報が記録された管理ファイルを別途生成することにより、同じサブグループの画像ファイルを識別可能に前記記憶メディアに記録することを特徴とする請求項７、９、１１、１３、１４、１５又は１６に記載の撮像装置を提供する。
【００４７】
請求項１９に係る発明によれば、各画像ファイルが属するサブグループの情報が記録された管理ファイルを別途生成することにより、同じサブグループの画像ファイルを識別可能に記録する。
【００４８】
請求項２０に係る発明は、前記目的を達成するために、前記動き検出手段の検出結果に基づいて撮影光学系の一部又は前記撮像素子を移動させて手ブレを補正する手ブレ補正手段を備えたことを特徴とする請求項８又は１４に記載の撮像装置を提供する。
【００４９】
請求項２０に係る発明によれば、動き検出手段の検出結果を利用して手ブレ補正を行う。これにより、動き検出手段を兼用でき、手ブレ補正機能を備えた撮像装置において、構成を簡略化できる。
【００５０】
請求項２１に係る発明は、前記目的を達成するために、撮影された画像の成功／失敗を判定する判定手段を備え、前記記録制御手段は、前記判定手段で失敗判定された画像の画像ファイルを識別可能に前記記憶メディアに記録することを特徴とする請求項１〜２０のいずれか一に記載の撮像装置を提供する。
【００５１】
請求項２１に係る発明によれば、失敗画像を識別でき、画像ファイルの管理が更に容易になる。
【発明の効果】
【００５２】
本発明に係る撮像装置によれば、画像の管理を簡単にすることができる。
【発明を実施するための最良の形態】
【００５３】
以下、添付図面に従って本発明に係る撮像装置を実施するための最良の形態について説明する。
【００５４】
図１、図２は、それぞれ本発明が適用されたデジタルカメラの外観構成を示す正面斜視図と背面斜視図である。
【００５５】
同図に示すように、このデジタルカメラ１０は、レンズユニット１２とカメラ本体１４とで構成されている。
【００５６】
レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに装着することにより、カメラ本体１４に着脱自在に取り付けられる。
【００５７】
なお、レンズマウント１２Ａと本体マウント１４Ａには、それぞれレンズマウント接点１２ａと本体マウント接点１４ａとが設けられており（本体マウント接点１４ａのみ図示）、レンズマウント１２Ａを本体マウント１４Ａに装着すると、互いの接点が接触して導通する。
【００５８】
また、本体マウント１４Ａには、図示しないレンズ検出端子が設けられており、このレンズ検出端子により、レンズマウント１２Ａが本体マウント１４Ａに装着されたことが検出できるようにされている。
【００５９】
レンズユニット１２は、手ブレ補正機能を備えたズーレンズで構成されており、後述するように、撮像素子を内蔵している。
【００６０】
カメラ本体１４の正面には、グリップ部１６、ストロボ１８等が設けられており、上面には、レリーズボタン２０、電源スイッチ２２、モードダイヤル２４等が設けられている。また、カメラ本体１４の背面には、モニタ２６、ズームボタン２８、十字ボタン３０、ＭＥＮＵ／ＯＫボタン３２、キャンセルボタン３４等が設けられている。また、図示しないカメラ本体１４の底面には、バッテリカバーが設けられており、このバッテリカバーを開くと、バッテリを装着するためのバッテリ収納室と、メモリカードを装着するためのメモリカードスロットが設けられている。
【００６１】
グリップ部１６には、タッチセンサが設けられており、撮影者がグリップ部１６をグリップして構えたことを検出できるようにされている。  
【００６２】
レリーズボタン２０は、撮影指示を入力するボタンとして機能し、いわゆる「半押し」と「全押し」の二段式で構成されている。デジタルカメラ１０は、このレリーズボタン２０の半押しでＡＥ（Automatic Exposure：自動露出）、ＡＦ（Auto Focus：自動焦点合わせ）が機能し、全押しで撮影が実行される。
【００６３】
電源スイッチ２２は、スライド式のスイッチで構成されており、この電源スイッチ２２のスライド操作でデジタルカメラ１０の電源がＯＮ／ＯＦＦされる。
【００６４】
モードダイヤル２４は、回転式のダイヤルで構成されており、デジタルカメラ１０のモードを切り換える手段として機能する。デジタルカメラ１０は、このモードダイヤル２４を回転操作することにより、「撮影モード」と「再生モード」に切り換えられる。
【００６５】
モニタ２６は、カラーＬＣＤで構成されている。このモニタ２６は、再生モード時に撮影済み画像の再生に使用されるとともに、撮影モード時にスルー画像が表示されて電子ファインダとして使用される。また、各種設定操作時にメニュー画面が表示されてユーザインターフェイスとしても使用される。
【００６６】
ズームボタン２８は、撮影時にズームを指示するボタンとして機能し、テレ方向のズームを指示するズームテレボタン２８Ｔと、ワイド方向のズームを指示するズームワイドボタン２８Ｗとで構成されている。なお、再生時には、画像の拡大／縮小を指示するボタンとして機能し、ズームテレボタン２８Ｔで画像が拡大され、ズームワイドボタン２８Ｗで画像が縮小される。
【００６７】
十字ボタン３０は、上下左右四方向に押下可能に構成されており、デジタルカメラ１０の状況に応じた機能が割り当てられる。たとえば、撮影モード時には、右ボタンがマクロモードの切り換えを指示するマクロボタンとして機能し、左ボタンがストロボモードの切り換えを指示するストロボボタンとして機能する。また、再生モード時には、右ボタンが画像のコマ送りを指示するボタンとして機能し、左ボタンが画像のコマ戻しを指示するコマ戻しボタンとして機能する。また、モニタ２６を利用した各種設定時には、モニタ２６に表示されるカーソルの移動を指示するボタンとして機能する。
【００６８】
ＭＥＮＵ／ＯＫボタン３２は、モニタ２６へのメニュー画面の表示を指示するボタンとして機能するとともに、各種操作の実行を指示するボタンとして機能し、キャンセルボタン３４は、各種操作のキャンセルを指示するボタンとして機能する。
【００６９】
図３は、デジタルカメラ１０の電気的構成を示すブロック図である。同図に示すように、レンズユニット１２は、撮影光学系１００、撮影光学系駆動部１０２、撮影光学系制御部１０４、手ブレ検出用角加速度センサ１０６、撮像素子（ＣＣＤ）１０８、アナログ信号処理部１１０、Ａ／Ｄ変換器１１２、積算回路１１４、タイミングジェネレータ（ＴＧ）１１６、レンズＣＰＵ１１８、ＲＯＭ、ＲＡＭからなるレンズシステムメモリ１２０、レンズ不揮発性メモリ１２２、レンズ通信部１２４、電源制御部１２６、ＤＣ／ＤＣ変換器１２８、レンズマウント接点１２ａ等で構成されている。
【００７０】
一方、カメラ本体１４は、本体ＣＰＵ２００、操作部（レリーズボタン２０、電源スイッチ２２、モードダイヤル２４、ズームボタン２８、十字ボタン３０、ＭＥＮＵ／ＯＫボタン３２、キャンセルボタン３４等）２０２、ＲＯＭ、ＲＡＭからなる本体システムメモリ２０４、本体不揮発性メモリ２０６、タイマ２０８、カレンダ時計２１０、本体通信部２１２、デジタル信号処理部２１４、カードインターフェイス（Ｉ／Ｆ）２１６、メモリカードスロット２１８、メモリカード２２０、フレームメモリ２２２、ＯＳＤ部２２４、ＬＣＤ制御部２２６、モニタ２６、ＵＳＢドライバ２２８、ＵＳＢコネクタ２３０、タッチセンサ２３２、ストロボ制御部２３４、ストロボ１８、電源制御部２３６、バッテリ２３８、ＤＣ／ＤＣ変換器２４０、本体マウント接点１４ａ等で構成されている。
【００７１】
デジタルカメラ全体の動作は、本体ＣＰＵ２００によって統括制御されており、本体ＣＰＵ２００は、操作部２０２からの入力に基づき所定の制御プログラムに従ってデジタルカメラ１０の各部を制御する。本体システムメモリ２０４のＲＯＭには、この本体ＣＰＵ２００が、実行する制御プログラム、制御に必要な各種データが記録されている。本体ＣＰＵ２００は、この本体システムメモリ２０４のＲＯＭに格納された制御プログラムに従い、本体システムメモリ２０４のＲＡＭを作業領域としながらデジタルカメラの各部を制御する。
【００７２】
なお、レンズＣＰＵ１１８は、本体ＣＰＵ２００からの指令に従いレンズユニット１２の動作を統括制御する。レンズシステムメモリ１２０のＲＯＭには、このレンズＣＰＵ１１８が、実行する制御プログラム、制御に必要な各種データが記録されている。レンズＣＰＵ１１８は、このレンズシステムメモリ１２０のＲＯＭに格納された制御プログラムに従い、レンズシステムメモリ１２０のＲＡＭを作業領域としながらレンズユニット１２の各部を制御する。
【００７３】
撮影光学系１００は、手ブレ補正機能を備えたズームレンズで構成されており、フォーカスレンズ、ズームレンズ、手ブレ補正レンズ、メカシャッタ、絞り等を備えている。撮影光学系駆動部１０２は、この撮影光学系１００のフォーカスレンズ、ズームレンズ、手ブレ補正レンズ、メカシャッタ、絞り等の駆動部を構成し、撮影光学系制御部１０４は、レンズＣＰＵ１１８を介して入力される指令に応じて撮影光学系駆動部１０２の駆動を制御する。
【００７４】
手ブレ検出用角加速度センサ１０６は、手ブレ補正を行うために、デジタルカメラ１０に生じている動きを検出し、レンズＣＰＵ１１８に出力する。レンズＣＰＵ１１８は、この手ブレ検出用角加速度センサ１０６の出力に基づいて手ブレ補正レンズの動作量を演算し、手ブレを相殺するように手ブレ補正レンズを動作させる。
【００７５】
撮像素子１０８は、たとえば原色カラーＣＣＤで構成されており、撮影光学系１００によって、その受光面に結像された被写体の光学像を電気信号に変換する。
【００７６】
アナログ信号処理部１１０は、サンプリングホールド回路、色分離回路、ゲイン調整回路等を含み、ＣＣＤ１０８から出力された画像信号に対して相関二重サンプリング（ＣＤＳ）処理、色分離処理、プリホワイトバランス処理等の所要のアナログ信号処理を施す。
【００７７】
Ａ／Ｄ変換器１１２は、アナログ信号処理部１１０から出力されたアナログの画像信号をデジタルの画像信号に変換して出力する。
【００７８】
積算回路１１４は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算回路１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、この焦点評価値が極大となる位置にフォーカスレンズを移動させる（いわゆるコントラストＡＦ）。
【００７９】
タイミングジェネレータ（ＴＧ）１１６は、ＣＣＤ１０８、アナログ信号処理部１１０、Ａ／Ｄ変換器１１２、積算回路１１４にタイミング信号を与え、各部は、このＴＧから与えられるタイミング信号によって同期がとられている。
【００８０】
レンズ通信部１２４は、レンズＣＰＵ１１８の制御の下、レンズマウント接点１３０及び本体マウント接点２４２を介して接続されたカメラ本体側の本体通信部２１２との間でデータの送受信を行う。一方、本体通信部２１２は、本体ＣＰＵ２００の制御の下、レンズマウント接点１３０及び本体マウント接点２４２を介して接続されたレンズユニット側のレンズ通信部１２４との間でデータの送受信を行う。
【００８１】
電源制御部１２６は、レンズＣＰＵ１１８の制御の下、ＤＣ／ＤＣ変換器１２８を制御し、レンズマウント接点１３０及び本体マウント接点２４２を介してカメラ本体側のＤＣ／ＤＣ変換器２４０から供給される電力をレンズユニット１２の各部に供給する。
【００８２】
さて、レンズユニット１２のＡ／Ｄ変換器１１２でデジタル信号に変換された画像信号は、レンズ通信部１２４及び本体通信部２１２を介してカメラ本体１４に送信される。カメラ本体１４に送信された画像信号は、一旦本体システムメモリ２０４のＲＡＭに格納され、デジタル信号処理部２１４に加えられる。
【００８３】
デジタル信号処理部２１４は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００８４】
モニタ２６にスルー画像を表示させる場合は、デジタル信号処理部２１４で連続的に生成されたＹＵＶ信号が順次フレームメモリ２２２に加えられる。ＬＣＤ制御部２２６は、このフレームメモリ２２２に加えられたＹＵＶ信号を表示用の信号形式に変換して順次モニタ２６に出力する。これにより、モニタ２６にスルー画像が表示され、モニタ２６をファインダとして使用しながらの撮影が可能になる。
【００８５】
ＯＳＤ部２２４は、キャクタジェネレータを含み、本体ＣＰＵ２００の制御の下、モニタ２６に表示するための文字、記号等をＬＣＤ制御部２２６に出力する。ＬＣＤ制御部２２６は、このＯＳＤ部２２４から出力された文字等を画像に重ねてモニタ２６に出力する。
【００８６】
画像を記録する場合は、デジタル信号処理部２１４において、ＹＵＶ信号が所定の圧縮フォーマット（たとえば、ＪＰＥＧ）で圧縮される。圧縮された画像データは、撮影日時や撮影条件（絞り値、シャッタースピード、感度等）等の所要の付属情報が付加された画像ファイルとされた後、カードＩ／Ｆ２１６を介してメモリカードスロット２１８に装着されたメモリカード２２０に格納される。この際、画像ファイルは、所定の規則に従ってメモリカード２２０の記憶領域に格納される。
【００８７】
なお、タイマ２０８は、本体ＣＰＵ２００からの指令に基づいて時間を計測し、カレンダ時計２１０は、本体ＣＰＵ２００からの指令に基づいて現在の年月日及び時刻を計測する。
【００８８】
また、ＵＳＢドライバ２２８は、本体ＣＰＵ２００の指令に基づいてＵＳＢコネクタ２３０に接続された外部機器との間でＵＳＢ規格に基づいたデータの送受信を行う。
【００８９】
タッチセンサ２３２は、グリップ部１６への手の接触を検出し、その検出結果を本体ＣＰＵ２００に出力する。本体ＣＰＵ２００は、このタッチセンサ２３２の出力に基づいてグリップ部１６がグリップされているか否かを判定する。
【００９０】
ストロボ制御部２３４は、本体ＣＰＵ２００の制御の下、ストロボ１８の発光を制御する。
【００９１】
電源制御部２３６は、本体ＣＰＵ２００の制御の下、ＤＣ／ＤＣ変換器２４０を制御し、バッテリ２３８から供給される電力をカメラ本体１４の各部及びレンズユニット１２に供給する。
【００９２】
本実施の形態のデジタルカメラ１０は以上のように構成される。
【００９３】
次に、本実施の形態のデジタルカメラ１０の動作について説明する。まず、基本的な撮影時の動作について説明する。
【００９４】
レンズユニット１２をカメラ本体１４に装着し、電源スイッチ２２でデジタルカメラ１０の電源をＯＮする。このとき、カメラのモードが撮影モードに設定されてない場合は、モードダイヤル２４で撮影モードに設定する。
【００９５】
この状態で被写体に撮影レンズを向け、レリーズボタン２０を半押しすると、操作部２０２から本体ＣＰＵ２００にＳ１ＯＮ信号が出力され、ＡＥ／ＡＦ処理が実行される。すなわち、主要被写体にピントが合わせられるとともに露出が決定される。
【００９６】
この後、レリーズボタン２０が全押しされると、操作部２０２から本体ＣＰＵ２００にＳ２ＯＮ信号が出力され、撮影処理が実行される。すなわち、決定された露出でＣＣＤ１０８が露光され、露光により得られた画像信号が、アナログ信号処理部１１０、Ａ／Ｄ変換器１１２を介してレンズ通信部１２４からカメラ本体１４に出力される。
【００９７】
レンズユニット１２からカメラ本体１４に出力された画像信号は、本体通信部２１２から本体システムメモリ２０４に取り込まれ、デジタル信号処理部２１４で所要の信号処理が施されてＹＵＶ信号に変換される。生成されたＹＵＶ信号は、更にデジタル信号処理部２１４で圧縮処理が施されて圧縮画像データとされた後、所要の付属情報が付加された画像ファイルとしてメモリカード２２０に記録される。
【００９８】
このようにしてメモリカード２２０に記録された画像ファイルは、モードダイヤル２４にてカメラのモードを再生モードに設定することにより、メモリカード２２０から読み出され、モニタ２６に再生表示される。
【００９９】
すなわち、モードダイヤル２４を再生モードに設定すると、最後に記録された画像ファイルの圧縮画像データがメモリカード２２０から読み出され、デジタル信号処理部２１４に加えられる。デジタル信号処理部２１４は、入力された圧縮画像データに所要の伸張処理を施して非圧縮のＹＵＶデータを生成する。生成されたＹＵＶデータは、フレームメモリ２２２に加えられ、ＬＣＤ制御部２２６で表示用の信号形式に変換されて、モニタ２２６に出力される。これにより、撮影済み画像がモニタ２６に再生表示される。
【０１００】
なお、コマ送りの操作を行うと、次の画像がメモリカード２２０から読み出され、コマ戻しの操作を行うと、一つ前の画像がメモリカード２２０から読み出されて、モニタ２６に再生表示される。
【０１０１】
さて、上記のように、本実施の形態のデジタルカメラ１０では、撮影により得られた画像ファイルをメモリカード２２０に記録する際、所定の規則に従ってメモリカード２２０の記憶領域に格納される。以下、この撮影により得られた画像ファイルのメモリカード２２０への記録方法について説明する。
【０１０２】
１．第１の方法
図４に示すように、第１の方法では、電源ＯＮから電源ＯＦＦまでを一つの区切りとして、その間撮影された画像を一つのフォルダ（メインフォルダ）に格納する。
【０１０３】
画像ファイルを格納するメインフォルダは、ルートディレクトリの直下に「ＤＣＩＭ」というフォルダ名のフォルダ（以下「ＤＣＩＭフォルダ」という）を作成し、そのＤＣＩＭフォルダの中に作成する。メインフォルダのフォルダ名は、たとえば、「＊＊＊ＧＲＯＵＰ」とし、＊＊＊の部分に１００から始まる通し番号を付与する。したがって、最初に作成されるメインフォルダのフォルダ名は「１００ＧＲＯＵＰ」となり、以下順に「１０１ＧＲＯＵＰ」、「１０２ＧＲＯＵＰ」、…というフォルダ名のメインフォルダが作成される。各メインフォルダに格納する画像ファイルのファイル名は、たとえば、「ＤＣＦ＊＊＊＊」とし、＊＊＊＊の部分に０００１から始まる通し番号が撮影順に付与される。
【０１０４】
図５は、第１の方法で画像ファイルを格納する場合のデジタルカメラの撮影時の動作処理の手順を示すフローチャートである。
【０１０５】
まず、本体ＣＰＵ２００は、電源スイッチ２２からの出力に基づいてデジタルカメラ１０の電源がＯＮされたか否かを判定する（ステップＳ１０）。
【０１０６】
デジタルカメラ１０の電源がＯＮされると、本体ＣＰＵ２００は、メモリカード内にメインフォルダが存在するか否か判定する（ステップＳ１１）。この判定の結果、メモリカード内にメインフォルダが無いと判定すると、本体ＣＰＵ２００は、メモリカード内にメインフォルダを新規作成する（ステップＳ１３）。
【０１０７】
一方、メモリカード内にメインフォルダが存在すると判定すると、本体ＣＰＵ２００は、最新のメインフォルダの中に画像ファイルが格納されているか否かを判定する（ステップＳ１２）。この判定の結果、最新のメインフォルダの中に画像ファイルがあると判定すると、以後撮影された画像ファイルを格納するためのメインフォルダを新規作成する（ステップＳ１３）。
【０１０８】
一方、最新のメインフォルダに画像ファイルが格納されていない場合は、そのメインフォルダを使って、以後撮影された画像ファイルを格納する。
【０１０９】
このように、最新のメインフォルダに画像ファイルが格納されている場合は、メインフォルダを新規作成し、格納されていない場合は、そのまま最新のメインフォルダを画像ファイルの格納先に使用する。
【０１１０】
この後、本体ＣＰＵ２００は、撮影の実行の有無を判定し（ステップＳ１４）、撮影が実行されると、撮影により得られた画像ファイルを最新のメインフォルダに格納する（ステップＳ１５）。そして、電源がＯＦＦされたか否か判定し（ステップＳ１６）、ＯＦＦされたと判定すると、処理を終了する。
【０１１１】
このように第１の方法では、電源ＯＮから電源ＯＦＦまでを一つの区切りとして、その間撮影された画像を一つのフォルダ（メインフォルダ）に格納する。これにより、撮影後の閲覧、管理が容易になる。すなわち、電源がＯＮされてからＯＦＦされるまでに撮影された画像は、相互に関連する一群の画像と考えられるので、これをひとまとまりのグループとして保存することにより、撮影後の閲覧、管理が容易になる。
【０１１２】
２．第２の方法
図６に示すように、第２の方法では、モードの切り替わりを一つの区切りとして、その間撮影された画像を一つのフォルダ（メインフォルダ）に格納する。
【０１１３】
第１の方法と同様に、画像ファイルを格納するメインフォルダは、ルートディレクトリの直下にＤＣＩＭフォルダを作成し、そのＤＣＩＭフォルダの中に作成する。フォルダ名の付け方も同じである。
【０１１４】
図７は、第２の方法で画像ファイルを格納する場合のデジタルカメラの撮影時の動作処理の手順を示すフローチャートである。
【０１１５】
デジタルカメラ１０の電源がＯＮされると（ステップＳ２０）、本体ＣＰＵ２００は、モードダイヤル２４からの出力に基づいて、デジタルカメラ１０のモードが撮影モードに設定されているか否か判定する（ステップＳ２１）。そして、撮影モードに設定されていると判定すると、本体ＣＰＵ２００は、メモリカード内にメインフォルダが存在するか否か判定する（ステップＳ２２）。この判定の結果、メモリカード内にメインフォルダが無いと判定すると、本体ＣＰＵ２００は、メモリカード内にメインフォルダを新規作成する（ステップＳ２４）。
【０１１６】
一方、メモリカード内にメインフォルダが存在すると判定すると、本体ＣＰＵ２００は、最新のメインフォルダの中に画像ファイルが格納されているか否かを判定する（ステップＳ２３）。この判定の結果、最新のメインフォルダの中に画像ファイルがあると判定すると、以後撮影された画像ファイルを格納するためのメインフォルダを新規作成する（ステップＳ２４）。
【０１１７】
一方、最新のメインフォルダに画像ファイルが格納されていない場合は、そのメインフォルダを使って、以後撮影された画像ファイルを格納する。
【０１１８】
この後、本体ＣＰＵ２００は、撮影の実行の有無を判定し（ステップＳ２５）、撮影が実行されると、撮影により得られた画像ファイルを最新のメインフォルダに格納する（ステップＳ２６）。そして、モードが再生モードに切り換えられたか、若しくは電源がＯＦＦされたかを判定し（ステップＳ２７）、モードが再生モードに切り換えられたか、若しくは電源がＯＦＦされた判定すると、処理を終了する。
【０１１９】
このように第２の方法では、モードの切り替わりを一つの区切りとして、その間撮影された画像を一つのフォルダ（メインフォルダ）に格納する。これにより、撮影後の閲覧、管理が容易になる。すなわち、モードが切り換えられるまでに撮影された画像は、相互に関連する一群の画像と考えられるので、これをひとまとまりのグループとして保存することにより、撮影後の閲覧、管理が容易になる。
【０１２０】
なお、上記の例では、一度電源がＯＦＦされると、撮影モードも終了したものとして取り扱っているが、一度電源をＯＦＦしても、再度電源をＯＮした時に撮影モードに設定されている場合は、新規にメインフォルダを作成せず、電源ＯＦＦ時に使用していたメインフォルダに画像を格納するようにしてもよい。すなわち、電源のＯＮ／ＯＦＦにかかわらず、モードの切り替わりのみを基準にグループ分けするようにしてもよい。
【０１２１】
また、上記の例では、撮影モードと再生モードとの切り替わりに応じてグループ分けするようにしているが、撮影モードに複数のモードが用意されている場合には、その撮影モードの切り替わりによってもグループ分けするようにしてもよい。たとえば、撮影モードとして「オート撮影モード」、「プログラム撮影モード」、「絞り優先撮影モード」、「シャッタ速度優先撮影モード」、「マニュアル撮影モード」を備えている場合には、各モードの切り替わりに応じてグループ分けするようにしてもよい。また、たとえば上記各モードに加えて、あるいは単独で「人物撮影モード」、「風景撮影モード」、「スポーツ撮影モード」等のシーンごとの撮影モードを備えている場合には、その撮影モードの切り替わりに応じてグループ分けするようにしてもよい。
【０１２２】
なお、この場合グループ分けされた各メインフォルダの属性が明確になるようにフォルダ名を付けることが好ましい。たとえば、オート撮影モード時は「＊＊＊＿ＡＵＴＯ」、プログラム撮影モード時は「＊＊＊＿ＰＲＯＧ」等のフォルダ名を付けるようにする。
【０１２３】
３．第３の方法
図８に示すように、第３の方法では、グリップ部１６がグリップされている期間を一つの区切りとして、その間撮影された画像を一つのフォルダ（メインフォルダ）に格納する。
【０１２４】
第１の方法と同様に、画像ファイルを格納するメインフォルダは、ルートディレクトリの直下にＤＣＩＭフォルダを作成し、そのＤＣＩＭフォルダの中に作成する。フォルダ名の付け方も同じである。
【０１２５】
図９は、第３の方法で画像ファイルを格納する場合のデジタルカメラの撮影時の動作処理の手順を示すフローチャートである。
【０１２６】
デジタルカメラ１０の電源がＯＮされると（ステップＳ３０）、本体ＣＰＵ２００は、タッチセンサ２３２の出力に基づいて、グリップ部１６がグリップされたか否か判定する（ステップＳ３１）。すなわち、カメラ本体１４に設けられたグリップ部１６が、撮影者によってグリップされると、タッチセンサ２３２がＯＮになるので、タッチセンサ２３２がＯＮされたか否かを判定して、グリップ部１６がグリップされたか否か判定する。
【０１２７】
タッチセンサ２３２がＯＮされ、グリップ部１６がグリップされたと判定すると、本体ＣＰＵ２００は、メモリカード内にメインフォルダが存在するか否か判定する（ステップＳ３２）。この判定の結果、メモリカード内にメインフォルダが無いと判定すると、本体ＣＰＵ２００は、メモリカード内にメインフォルダを新規作成する（ステップＳ３４）。
【０１２８】
一方、メモリカード内にメインフォルダが存在すると判定すると、本体ＣＰＵ２００は、最新のメインフォルダの中に画像ファイルが格納されているか否かを判定する（ステップＳ３３）。この判定の結果、最新のメインフォルダの中に画像ファイルがあると判定すると、以後撮影された画像ファイルを格納するためのメインフォルダを新規作成する（ステップＳ３４）。
【０１２９】
一方、最新のメインフォルダに画像ファイルが格納されていない場合は、そのメインフォルダを使って、以後撮影された画像ファイルを格納する。
【０１３０】
この後、本体ＣＰＵ２００は、撮影の実行の有無を判定し（ステップＳ３５）、撮影が実行されると、撮影により得られた画像ファイルを最新のメインフォルダに格納する（ステップＳ３６）。そして、タッチセンサ若しくは電源がＯＦＦされたか否かを判定し（ステップＳ３７）、タッチセンサ若しくは電源がＯＦＦされた判定すると、処理を終了する。
【０１３１】
このように第３の方法では、グリップ部１６がグリップされてから離されるまでを一つの区切りとし、その間撮影された画像を一つのフォルダ（メインフォルダ）に格納する。これにより、撮影後の閲覧、管理が容易になる。すなわち、グリップ部１６がグリップされてから離されるまでに撮影された画像は、相互に関連する一群の画像と考えられるので、これをひとまとまりのグループとして保存することにより、撮影後の閲覧、管理が容易になる。
【０１３２】
なお、上記の例では、一度電源がＯＦＦされると、グリップ部１６が離されたものとして取り扱っているが、一度電源をＯＦＦしても、再度電源をＯＮした時にタッチセンサ２３２がＯＮになっている場合は、新規にメインフォルダを作成せず、電源ＯＦＦ時に使用していたメインフォルダに画像を格納するようにしてもよい。すなわち、電源のＯＮ／ＯＦＦにかかわらず、タッチセンサ２３２のＯＮ／ＯＦＦの切り替わりのみを基準にグループ分けするようにしてもよい。
【０１３３】
また、上記の例ではグリップ部１６にタッチセンサ２３２を設け、グリップ部１６のグリップを基準に撮影した画像ファイルのグループ分けを行うようにしているが、レリーズボタン２０にタッチセンサを設け、レリーズボタン２０への指の接触を基準にグループ分けするようにしてもよい。すなわち、レリーズボタン２０に指が置かれたとき（タッチセンサＯＮ）から、離される（タッチセンサＯＦＦ）までを一つの区切りとし、その間撮影された画像を一つのフォルダ（メインフォルダ）に格納するようにしてもよい。
【０１３４】
４．第４の方法
図１０に示すように、第４の方法では、カメラ本体の向きが変えられるまで、すなわち、カメラ本体１４に一定以上の動きが検出されるまでを一つの区切りとし、それまでに撮影された画像を一つのフォルダ（メインフォルダ）に格納する。
【０１３５】
ここで、カメラ本体１４に生じる動きは、手ブレ補正に使用する手ブレ検出用角加速度センサ１０６の出力に基づいて検出する。すなわち、手ブレ検出用角加速度センサ１０６の出力は、積分することにより、カメラ本体１４の角速度、さらにそれを積分することにより、カメラ本体１４の（角度的な）変位を求めることができるので、求めた変位がしきい値を超えると、カメラ本体１４に一定以上の動き、すなわちカメラ本体１４の向きが変えられたものと判断する。
【０１３６】
なお、画像ファイルを格納するメインフォルダは、上記第１の方法と同様にルートディレクトリの直下にＤＣＩＭフォルダを作成し、そのＤＣＩＭフォルダの中に作成する。フォルダ名の付け方も同じである。
【０１３７】
図１１は、第４の方法で画像ファイルを格納する場合のデジタルカメラの撮影時の動作処理の手順を示すフローチャートである。
【０１３８】
デジタルカメラ１０の電源がＯＮされると（ステップＳ４０）、本体ＣＰＵ２００は、メモリカード内にメインフォルダが存在するか否か判定する（ステップＳ４１）。この判定の結果、メモリカード内にメインフォルダが無いと判定すると、本体ＣＰＵ２００は、メモリカード内にメインフォルダを新規作成する（ステップＳ４３）。
【０１３９】
一方、メモリカード内にメインフォルダが存在すると判定すると、本体ＣＰＵ２００は、最新のメインフォルダの中に画像ファイルが格納されているか否かを判定する（ステップＳ４２）。この判定の結果、最新のメインフォルダの中に画像ファイルがあると判定すると、以後撮影された画像ファイルを格納するためのメインフォルダを新規作成する（ステップＳ４３）。
【０１４０】
一方、最新のメインフォルダに画像ファイルが格納されていない場合は、そのメインフォルダを使って、以後撮影された画像ファイルを格納する。
【０１４１】
この後、本体ＣＰＵ２００は、撮影の実行の有無を判定する（ステップＳ４４）。撮影が実行されていないと判定すると、電源がＯＦＦされたか否か判定し（ステップＳ４６）、電源がＯＦＦされたと判定すると、処理を終了する。また、電源がＯＦＦされていないと判定すると、ステップＳ４４の処理に戻り、撮影が実行されたか否か判定する。そして、ステップＳ４４で撮影が実行されたと判定すると、撮影により得られた画像ファイルを最新のメインフォルダに格納する（ステップＳ４５）。
【０１４２】
画像ファイルが最新のメインフォルダに格納されると、本体ＣＰＵ２００は、手ブレ検出用角加速度センサ１０６の出力に基づいてカメラ本体１４の向きが変えられたか否か、すなわち、カメラ本体１４に一定以上の動きが生じたか否かを判定する（ステップＳ４７）。そして、カメラ本体１４に一定以上の動きが生じたと判定すると、本体ＣＰＵ２００は、最新のメインフォルダの中に画像ファイルが格納されているか否かを判定する（ステップＳ４８）。この判定の結果、最新のメインフォルダの中に画像ファイルがあると判定すると、以後撮影された画像ファイルを格納するためのメインフォルダを新規作成する（ステップＳ４９）。
【０１４３】
この後、本体ＣＰＵ２００は、撮影の実行の有無を判定し（ステップＳ５０）、撮影が実行されていないと判定すると、電源がＯＦＦされたか否か判定する（ステップＳ５２）。そして、電源がＯＦＦされたと判定すると、処理を終了する。一方、撮影が実行されたと判定すると、撮影により得られた画像ファイルを最新のメインフォルダに格納する（ステップＳ５１）。そして、電源がＯＦＦされたか否かを判定し（ステップＳ５２）、電源がＯＦＦされた判定すると、処理を終了する。
【０１４４】
このように第４の方法では、カメラ本体１４が一定以上動くと、カメラ本体１４の向きが変えられたものと判断し、以後撮影される画像を別のフォルダ（メインフォルダ）に格納する。これにより、撮影後の閲覧、管理が容易になる。すなわち、カメラ本体１４の向きが変えられると、被写体が変わったものと判断できるので、被写体ごとに画像をグループ化することができ、撮影後の閲覧、管理が容易になる。
【０１４５】
なお、本実施の形態では、手ブレ検出用角加速度センサ１０６を流用してカメラ本体１４の動きを検出するようにしているが、カメラ本体１４の動き（向き）を検出する手段は、これに限定されるものではない。他の検出手段を用いるようにしてもよい。たとえば、加速度センサやジャイロ等を用いてカメラ本体１４の動き（向き）を検出するようにしてもよい。また、手ブレ補正用の検出手段を流用するのではなく、別途、動き検出用の検出手段を設けるようにしてもよい。なお、手ブレ補正用の検出手段を流用することにより、装置構成を簡略化することができ、製造コストの削減も図ることができる。
【０１４６】
５．第５の方法
第５の方法は、上記第１〜４の方法において、撮影に失敗した画像を別フォルダに格納する。以下、上記第１の方法で撮影に失敗した画像を別フォルダに格納する場合を例に説明する。
【０１４７】
図１２に示すように、たとえばメインフォルダである「１００ＧＲＯＵＰ」フォルダへの格納期間中に画像ファイル「ＤＳＣＦ０００２」の撮影に失敗した場合、その画像ファイル「ＤＳＣＦ０００２」を失敗画像専用の「ＦＡＩＬＵＲＥ」フォルダに格納する。
【０１４８】
「ＦＡＩＬＵＲＥ」フォルダは、「ＤＣＩＭ」フォルダと同じ階層、すなわちルートディレクトリの直下に作成する。失敗画像ファイルは、その「ＦＡＩＬＵＲＥ」フォルダの直下に撮影成功画像を格納するメインフォルダと同じフォルダ名のメインフォルダを作成して格納する。したがって、この場合、「ＦＡＩＬＵＲＥ」フォルダの直下にメインフォルダとして「１００ＧＲＯＵＰ」フォルダを作成し、この「１００ＧＲＯＵＰ」フォルダに失敗画像ファイル「ＤＳＣＦ０００２」を格納する。
【０１４９】
また、たとえばメインフォルダである「１０２ＧＲＯＵＰ」フォルダへの格納期間中に画像ファイル「ＤＳＣＦ０００２」の撮影に失敗した場合は、「ＦＡＩＬＵＲＥ」フォルダの直下にメインフォルダとして「１０２ＧＲＯＵＰ」フォルダを作成し、この「１０２ＧＲＯＵＰ」フォルダに失敗画像ファイル「ＤＳＣＦ０００２」を格納する。
【０１５０】
なお、失敗画像ファイルが「ＦＡＩＬＵＲＥ」フォルダに移されると、撮影成功画像を格納するメインフォルダの該当ファイル番号が欠番になる。
【０１５１】
このように失敗画像を別フォルダに移すことにより、撮影後の画像ファイルの閲覧、管理が更に容易になる。
【０１５２】
なお、撮影に失敗したか否かの判定は、たとえば撮影された画像を画像解析することにより行い、手ブレ、ピンぼけ、アンダー露出、オーバー露出等が生じていれば、失敗画像と判断し、別フォルダに移すようにする。この他、手ブレ検出用角加速度センサ１０６の出力やＡＥ／ＡＦの結果から撮影に失敗したか否かを判定するようにしてもよい。すなわち、たとえば撮影時の手ブレ検出用角加速度センサ１０６の出力が、撮影時のレンズ焦点距離から決まる所定の値と比較して大きい場合は、手ブレが生じているものと判断し、撮影に失敗した画像として取り扱うようにする。また、たとえばＡＥ又はＡＦエラーが生じている状態で撮影した画像は、撮影に失敗した画像として取り扱うようにする。
【０１５３】
また、上記例では第１の方法において、撮影に失敗した画像を別フォルダに格納する場合を例に説明したが、第２〜第４の方法においても、同様に撮影に失敗した画像を別フォルダに格納することができる。
【０１５４】
６．第６の方法
第６の方法は、上記第１〜第５の方法において、各メインフォルダに見出し画像ファイルを付加して記録する。
【０１５５】
以下、上記第１の方法で各メインフォルダに見出し画像ファイルを付加して記録する場合を例に説明する。
【０１５６】
図１３に示すように、各メインフォルダと同じ階層（ＤＣＩＭフォルダの直下）に各メインフォルダの見出し画像ファイルを記録する。
【０１５７】
見出し画像ファイルは、たとえば各メインフォルダに格納された画像ファイルの中で最初に撮影された画像とする。なお、この他、ユーザが選んだ画像や、各メインフォルダに撮影された画像の中で最もコントラストＡＦのピークが高い画像を見出し画像ファイルとするようにしてもよい。
【０１５８】
選択された見出し画像ファイルは、メインフォルダに関連付けられてＤＣＩＭフォルダに格納される。ここでは、メインフォルダのフォルダ名と同じファイル名を付与してＤＣＩＭフォルダに記録するものとする。たとえば、メインフォルダのフォルダ名が「１００ＧＲＯＵＰ」であれば、その見出し画像ファイルは「１００ＧＲＯＵＰ」となる。
【０１５９】
なお、この見出し画像ファイルは、ＶＧＡサイズなどにリサイズして記録することが好ましい。
【０１６０】
メインフォルダの一覧表示時（パソコンで表示させる場合を含む）には、この見出し画像ファイルをフォルダの見出し画像として表示させる。これにより、各メインフォルダの内容を一目で把握でき、管理が容易になる。
【０１６１】
上記の例では第１の方法において、各メインフォルダに見出し画像ファイルを付加して記録する場合を例に説明したが、第２〜第５の方法においても、同様に各メインフォルダに見出し画像ファイルを付加して記録することもできる。
【０１６２】
７．第７の方法
上記第１〜第５の方法では、所定の分類規則に従って画像ファイルをフォルダに格納することにより、画像ファイルをグループ分けしているが、本方法では、各画像ファイルにグループの属性情報を記録することで画像ファイルをグループ分けする。なお、グループ分けの基準は、上記第１〜第５の方法と同じである。
【０１６３】
図１４は、画像ファイルのファイル構造を示している。同図に示すように、撮影された画像の画像データ（主画像データ）は、Ｅｘｉｆ形式に従った画像ファイルとしてメモリカード２２０に記録される。
【０１６４】
Ｅｘｉｆ形式の画像ファイルは、撮影した画像に関する情報を付属情報として画像ファイルヘッダ部にタグ形式で記録することができ、付属情報タグには、図１４に示すように、メーカ名や製品名、Ｅｘｉｆバージョン情報、撮影年月日等の撮影した画像に関する撮影データがタグ形式で記録される。
【０１６５】
ここで、この付属情報には、ユーザがキーワードやコメントを自由に書き込むことができる領域（ユーザコメント）が用意されており、この領域にＧＲＯＵＰ情報として、当該画像ファイルが属するグループの情報が記録される。たとえば、上記第１の方法で１００ＧＲＯＵＰフォルダに格納されていた画像ファイルであれば、ＧＲＯＵＰ情報として「１００」が記録される。
【０１６６】
なお、サムネイルは、主画像を規定のサイズにリサイズした画像であり、付属情報と共に画像ファイルのファイルヘッダ部に記録される。
【０１６７】
以上のように各画像ファイルにグループの属性の情報を記録することによっても、撮影した画像ファイルをグループ分けすることができる。
【０１６８】
なお、本例のように、各画像ファイルにグループの情報を記録する場合、必ずしも上記第１〜第５の方法のように各画像ファイルをフォルダごとに分けて格納する必要はなく、単一のフォルダで管理するようにしてもよい。
【０１６９】
しかし、上記第１〜第６の方法と組み合わせて使用することにより、より撮影後の閲覧、管理が容易になる。
【０１７０】
８．第８の方法
第８の方法では、上記第１〜第７の方法において、グループ分けの基準の情報を別途用意した管理ファイルに記録する。
【０１７１】
たとえば、上記第１の方法において、図１５に示すように、ＤＣＩＭフォルダと同じ階層（ルートディレクトリの直下）に管理ファイルを格納して用意する。管理ファイルのファイル名は、たとえば「ＩＮＦＯ」とする。
【０１７２】
図１６は、管理ファイルの一例を示しており、画像ファイルが格納されているフォルダの構造をＸＭＬで記載している。各フォルダの情報には、グループ分けの基準が、<ACTION>××××</ACTION>…<ACTION>○○○○</ACTION>で示されている（「××××」、「○○○○」の部分がグループ分けの基準）。たとえば、<ACTION>POWER_ON</ACTION>…<ACTION>POWER_OFF</ACTION>であれば、電源ＯＮから電源ＯＦＦまででグループ分けされていることが確認できる。
【０１７３】
このように、管理ファイルを別途用意して記録することにより、グループ分けの基準となる情報も記録することができるようになり、撮影後の閲覧、管理が更に容易になる。上記第２〜第７の方法においても、各管理ファイルを別途用意することにより、撮影後の閲覧、管理が更に容易になる。
【０１７４】
なお、管理ファイルは、撮影のたびに随時更新される。ここで、<HEADER>…</HEADER>に記録される<MODIFIED>…</MODIFIED>の欄には、最終編集日時が記録され、この最終編集日時は、最後に撮影された画像ファイルの撮影日時と一致する。したがって、この最終編集日時と最後に撮影された画像ファイルの撮影日時とを比較すれば、管理ファイルの正常／異常を判定することができる。
【０１７５】
また、本例では、管理ファイルとして、画像ファイルが格納されているフォルダの構造をＸＭＬで記載するようにしているが、記載する言語は、これに限定されるものではない。単なるテキストデータとして記録するようにしてもよい。
【０１７６】
また、管理ファイルは、フォルダ構造を記載するのではなく、たとえば図１７に示すように、各画像ファイルに対して、その画像ファイルが属するグループの情報を記録するようにしてもよい。この場合、画像ファイルは、グループごとにフォルダを格納する必要がなくなる。
【０１７７】
９．第９の方法
第９の方法では、上記第１〜第５の方法でグループ分けされた画像ファイルを更に一定の規則に従ってグループ分けする。すなわち、メイングループで大分類し、更にそのメイングループ内でサブグループに小分類する。
【０１７８】
たとえば、図１８に示すように、電源のＯＮ／ＯＦＦで大分類（メイングループにグループ分け）し、カメラ本体の向きが変えられること（一定以上の動きが検出されること）で小分類（サブグループにグループ分け）するものとする。
【０１７９】
この場合、各画像ファイルは、サブグループ単位でサブフォルダに格納され、サブフォルダは、そのサブフォルダの属するメイングループごとにメインフォルダに格納される。すなわち、電源がＯＮされてからカメラ本体の向きが変えられるまでの間（一定以上の動きが検出されるまでの間）撮影された画像を１グループとし、一つのサブフォルダに格納する。カメラ本体の向きが変えられると、新規サブフォルダを作成し、以後、カメラ本体の向きが変えられるまでの間撮影された画像を新規作成したサブフォルダに格納する。これを電源がＯＦＦされるまで繰り返す。そして、電源がＯＦＦされ、新たに電源がＯＮされると、メインフォルダを新規に作成し、その新規作成したメインフォルダの中にサブフォルダを作成して、カメラ本体の向きが変えられるまでの間撮影された画像を格納する。
【０１８０】
図１９は、第９の方法で画像ファイルを格納する場合のデジタルカメラの撮影時の動作処理の手順を示すフローチャートである。
【０１８１】
まず、本体ＣＰＵ２００は、電源スイッチ２２からの出力に基づいてデジタルカメラ１０の電源がＯＮされたか否かを判定する（ステップＳ６０）。
【０１８２】
デジタルカメラ１０の電源がＯＮされると、本体ＣＰＵ２００は、最新のメインフォルダ内に画像ファイルが存在するか否か判定する（ステップＳ６１）。この判定の結果、最新のメインフォルダの中に画像ファイルがあると判定すると、以後に撮影された画像ファイルを格納するためのメインフォルダとサブフォルダを新規作成する（ステップＳ６２）。
【０１８３】
一方、最新のメインフォルダに画像ファイルが格納されていない場合は、そのメインフォルダ及びサブフォルダを画像ファイルの格納先に使用する。
【０１８４】
この後、本体ＣＰＵ２００は、撮影の実行の有無を判定し（ステップＳ６３）、撮影が実行されたと判定すると、撮影により得られた画像ファイルを最新のサブフォルダに格納する（ステップＳ６４）。
【０１８５】
一方、撮影が実行されないと判定すると、電源がＯＦＦされたか否か判定し（ステップＳ７１）、電源がＯＦＦされたと判定すると、処理を終了する。また、電源がＯＦＦされていないと判定すると、再度ステップＳ６３の処理に戻り、撮影が実行されたか否か判定する。
【０１８６】
ステップＳ６４で撮影した画像ファイルを最新のサブフォルダに格納すると、本体ＣＰＵ２００は、手ブレ検出用角加速度センサ１０６の出力に基づいてカメラ本体１４の向きが変えられたか否か、すなわち、カメラ本体１４に一定以上の動きが生じたか否かを判定する（ステップＳ６５）。
【０１８７】
ここで、一定以上の動きが生じていないと判定すると、撮影実行の有無を判定する（ステップＳ６８）。そして、撮影が実行されたと判定すると、撮影された画像を最新のサブフォルダに格納する（ステップＳ６９）。この後、本体ＣＰＵ２００は、電源がＯＦＦされたか否か判定し（ステップＳ７０）、電源がＯＦＦされたと判定すると、処理を終了する。また、電源がＯＦＦされていないと判定すると、ステップＳ６５の処理に戻り、再度、カメラ本体に一定以上の動きが生じているか否か判定する（ステップＳ６５）。
【０１８８】
また、ステップＳ６５でカメラ本体１４に一定以上の動きが生じていると判定すると、本体ＣＰＵ２００は、最新のサブフォルダの中に画像ファイルが格納されているか否か判定する（ステップＳ６６）。そして、最新のサブフォルダの中に画像ファイルが格納されていると判定すると、以後撮影された画像を別のサブフォルダに格納するため、同じ階層（同じメインフォルダ内）にサブフォルダを新規作成する（ステップＳ６７）。一方、最新のサブフォルダの中に画像ファイルが格納されていないと判定すると（最新のサブフォルダの中身が空である場合）、その最新のサブフォルダを画像ファイルの格納先とする。
【０１８９】
この後、本体ＣＰＵ２００は、撮影実行の有無を判定する（ステップＳ６８）。そして、撮影が実行されたと判定すると、撮影された画像を最新のサブフォルダに格納する（ステップＳ６９）。この後、本体ＣＰＵ２００は、電源がＯＦＦされたか否か判定し（ステップＳ７０）、電源がＯＦＦされたと判定すると、処理を終了する。また、電源がＯＦＦされていないと判定すると、ステップＳ６５の処理に戻り、再度、カメラ本体に一定以上の動きが生じているか否か判定する（ステップＳ６５）。
【０１９０】
このように、電源がＯＮされてからＯＦＦされるまでをメイングループとしてグループ分けし、その中で更にカメラの方向が変えられるまでをサブグループとしてグループ分けする。このように階層的にグループ分けすることにより、撮影後の閲覧、管理を更に容易にすることができる。
【０１９１】
なお、上記の例では、電源のＯＮ／ＯＦＦでメイングループのグループ分けを行い、カメラ本体の向きが変えられたことによる検出でサブグループのグループ分けを行うようにしているが、グループ分けの態様は、これに限定されるものではない。図２０は、メインフォルダとサブフォルダのグループ分けの条件の組み合わせの一例を示している。同図に示すように、電源のＯＮ／ＯＦＦでメイングループのグループ分けを行い、モードの切り換えでサブグループのグループ分けを行うようにしてもよい。また、電源のＯＮ／ＯＦＦでメイングループのグループ分けを行い、グリップ部１６が新たにグリップされたことでサブグループのグループ分けを行うようにしてもよい。また、電源のＯＮ／ＯＦＦでメイングループのグループ分けを行い、レリーズボタン２０に新たに指が接触したことでサブグループのグループ分けを行うようにしてもよい。更に、サブフォルダに関して複数の条件でグループ分けするようにしてもよい（図２１参照）。
【０１９２】
また、上記例では、グループごとにフォルダに格納してグループ分けする場合を例に説明したが、上記第７の方法のように、画像ファイルにグループ分けの情報を記録するようにしてもよいし（図２２参照）、また、上記第８の方法のように、別途用意した管理ファイルのグループ分けの情報を記録するようにしてもよい（図２３参照）。
【０１９３】
なお、本実施の形態では、カメラ本体に対してレンズユニットが着脱自在に設けられ、そのレンズユニットに撮像素子が組み込まれたデジタルカメラに本発明を適用した場合を例に説明したが、デジタルカメラの構成は、これに限定されるものではない。カメラ本体に対してレンズユニットが着脱自在に設けられ、そのカメラ本体に撮像素子が組み込まれたデジタルカメラにも本発明は適用できるし、また、レンズユニットとカメラ本体とが一体的に構成されたデジタルカメラにも本発明は適用することができる。
【０１９４】
また、上記一連の実施の形態では、本発明をデジタルカメラに適用した場合を例に説明したが、本発明の適用は、これに限定されるものではない。カメラ付き携帯電話機やビデオカメラ等、撮影により得られた画像ファイルを記憶メディアに記録するすべての撮像装置に適用することができる。
【図面の簡単な説明】
【０１９５】
【図１】本発明が適用されたデジタルカメラの外観構成を示す正面斜視図
【図２】本発明が適用されたデジタルカメラの外観構成を示す背面斜視図
【図３】本発明が適用されたデジタルカメラの電気的構成を示すブロック図
【図４】第１の方法で画像ファイルを記録する場合の説明図
【図５】第１の方法で画像ファイルを格納する場合のデジタルカメラの撮影時の動作処理の手順を示すフローチャート
【図６】第２の方法で画像ファイルを記録する場合の説明図
【図７】第２の方法で画像ファイルを格納する場合のデジタルカメラの撮影時の動作処理の手順を示すフローチャート
【図８】第３の方法で画像ファイルを記録する場合の説明図
【図９】第３の方法で画像ファイルを格納する場合のデジタルカメラの撮影時の動作処理の手順を示すフローチャート
【図１０】第４の方法で画像ファイルを記録する場合の説明図
【図１１】第４の方法で画像ファイルを格納する場合のデジタルカメラの撮影時の動作処理の手順を示すフローチャート
【図１２】第５の方法で画像ファイルを記録する場合の説明図
【図１３】第６の方法で画像ファイルを記録する場合の説明図
【図１４】第７の方法で画像ファイルを記録する場合の説明図
【図１５】第８の方法で画像ファイルを記録する場合の説明図
【図１６】管理ファイルの説明図
【図１７】管理ファイルの他の一例の説明図
【図１８】第９の方法で画像ファイルを記録する場合の説明図
【図１９】第９の方法で画像ファイルを格納する場合のデジタルカメラの撮影時の動作処理の手順を示すフローチャート
【図２０】第９の方法の他の実施の形態の説明図
【図２１】第９の方法の他の実施の形態の説明図
【図２２】第９の方法の他の実施の形態の説明図
【図２３】第９の方法の他の実施の形態の説明図
【符号の説明】
【０１９６】
１０…デジタルカメラ、１２…レンズユニット、１４…カメラ本体、１６…グリップ部、１８…ストロボ、２０…レリーズボタン、２２…電源スイッチ、２４…モードダイヤル、２６…モニタ、２８…ズームボタン、３０…十字ボタン、３２…ＭＥＮＵ／ＯＫボタン、３４…キャンセルボタン、１００…撮影光学系、１０２…撮影光学系駆動部、１０４…撮影光学系制御部、１０６…手ブレ検出用角加速度センサ、１０８…撮像素子（ＣＣＤ）、１１０…アナログ信号処理部、１１２…Ａ／Ｄ変換器、１１４…積算回路、１１６…タイミングジェネレータ（ＴＧ）、１１８…レンズＣＰＵ、１２０…レンズシステムメモリ、１２２…レンズ不揮発性メモリ、１２４…レンズ通信部、１２６…電源制御部、１２８…ＤＣ／ＤＣ変換器、２００…本体ＣＰＵ、２０２操作部、２０４…本体システムメモリ、２０６…本体不揮発性メモリ、２０８…タイマ、２１０…カレンダ時計、２１２…本体通信部、２１４…デジタル信号処理部、２１６…カードインターフェイス（Ｉ／Ｆ）、２１８…メモリカードスロット、２２０…メモリカード、２２２…フレームメモリ、２２４…ＯＳＤ部、２２６…ＬＣＤ制御部、２２８…ＵＳＢドライバ、２３０…ＵＳＢコネクタ、２３２…タッチセンサ、２３４…ストロボ制御部、２３６…電源制御部、２３８…バッテリ、２４０…ＤＣ／ＤＣ変換器
【図１】
2007019620.tif 000003
【図２】
2007019620.tif 000004
【図３】
2007019620.tif 000005
【図４】
2007019620.tif 000006
【図５】
2007019620.tif 000007
【図６】
2007019620.tif 000008
【図７】
2007019620.tif 000009
【図８】
2007019620.tif 000010
【図９】
2007019620.tif 000011
【図１０】
2007019620.tif 000012
【図１１】
2007019620.tif 000013
【図１２】
2007019620.tif 000014
【図１３】
2007019620.tif 000015
【図１４】
2007019620.tif 000016
【図１５】
2007019620.tif 000017
【図１６】
2007019620.tif 000018
【図１７】
2007019620.tif 000019
【図１８】
2007019620.tif 000020
【図１９】
2007019620.tif 000021
【図２０】
2007019620.tif 000022
【図２１】
2007019620.tif 000023
【図２２】
2007019620.tif 000024
【図２３】
2007019620.tif 000025